(57)【要約】【課題】ユーザの操作性を損なうことなくＩＣリーダからの通信要求が不正であるか否かを判定し、高いセキュリティを確保する携帯通信端末を提供する。【解決手段】ＩＣリーダからの通信要求を受信すると、通信要求を送信したＩＣリーダを撮像し、予め記憶された通信対象とするＩＣリーダの画像と、撮像した画像とが一致するか否かを判定し、一致すると判定された場合、ＩＣリーダからの通信要求に応答する。【選択図】図１
2010055271.tif 000002
【特許請求の範囲】
【請求項１】
通信ＩＣリーダからの通信要求に応答して情報通信を行う携帯通信端末であって、
通信対象として予め定められた対象ＩＣリーダの画像が基準画像として記憶される画像記憶部と、
前記通信ＩＣリーダからの通信要求を受信する通信要求受信部と、
前記通信要求受信部が前記通信要求を受信すると、前記通信要求を送信した前記通信ＩＣリーダを撮像し、撮像画像を生成する撮像部と、
前記基準画像と、前記撮像画像とが一致するか否かを判定する判定部と、
前記判定部が、前記基準画像と前記撮像画像とが一致すると判定した場合、前記通信ＩＣリーダからの前記通信要求に応答する通信制御部と、
を備えることを特徴とする携帯通信端末。
【請求項２】
前記通信要求受信部は、前記通信ＩＣリーダから無線送信される前記通信要求を受信する第１の通信要求受信部と、前記第１の通信要求受信部より狭い領域を前記通信要求の検出範囲とする第２の通信要求部とを備え、
前記撮像部は、前記第１の通信要求受信部が前記通信要求を受信すると、前記通信ＩＣリーダを撮像し、
前記通信制御部は、前記第２の通信要求受信が受信する前記通信要求に応答する
ことを特徴とする請求項１に記載の携帯通信端末。
【請求項３】
携帯通信端末と、携帯通信端末に記憶された情報を読み出す通信ＩＣリーダとを備えた無線通信システムであって、
前記通信ＩＣリーダは、前記携帯通信端末に通信要求を送信する通信要求送信部を備え、
前記携帯通信端末は、
通信対象として予め定められた対象ＩＣリーダの画像が基準画像として記憶される画像記憶部と、
前記通信ＩＣリーダからの前記通信要求を受信する通信要求受信部と、
前記通信要求受信部が前記通信要求を受信すると、前記通信ＩＣリーダを撮像し、撮像画像を生成する撮像部と、
前記基準画像と、前記撮像画像とが一致するか否かを判定する判定部と、
前記判定部が、前記基準画像と前記撮像画像とが一致すると判定した場合、前記通信ＩＣリーダからの前記通信要求に応答する通信制御部と、
を備えることを特徴とする無線通信システム。
【請求項４】
通信ＩＣリーダからの通信要求に応答して情報通信を行い、通信対象として予め定められた対象ＩＣリーダの画像が基準画像として記憶される画像記憶部とを備えた携帯通信端末による無線通信方法であって、
前記通信ＩＣリーダからの通信要求を受信すると、前記通信要求を送信した前記通信ＩＣリーダを撮像し、撮像画像を生成し、
前記基準画像と、前記撮像画像とが一致するか否かを判定し、
前記基準画像と前記撮像画像とが一致すると判定した場合、前記通信ＩＣリーダからの前記通信要求に応答する
ことを特徴とする無線通信方法。
【請求項５】
通信ＩＣリーダからの通信要求に応答して情報通信を行い、通信対象として予め定められた対象ＩＣリーダの画像が基準画像として記憶される画像記憶部とを備えた携帯通信端末のコンピュータに、
前記通信ＩＣリーダからの通信要求を受信すると、前記通信要求を送信した前記通信ＩＣリーダを撮像し、撮像画像を生成するステップと、
前記基準画像と、前記撮像画像とが一致するか否かを判定するステップと、
前記基準画像と前記撮像画像とが一致すると判定した場合、前記通信ＩＣリーダからの前記通信要求に応答するステップと
を実行させる無線通信プログラム。
【請求項６】
通信ＩＣリーダからの通信要求に応答して情報通信を行い、通信対象として予め定められた対象ＩＣリーダの画像が基準画像として記憶される画像記憶部とを備えた携帯通信端末のコンピュータに、
前記通信ＩＣリーダからの通信要求を受信すると、前記通信要求を送信した前記通信ＩＣリーダを撮像し、撮像画像を生成するステップと、
前記基準画像と、前記撮像画像とが一致するか否かを判定するステップと、
前記基準画像と前記撮像画像とが一致すると判定した場合、前記通信ＩＣリーダからの前記通信要求に応答するステップと
を実行させる無線通信プログラムを記録したコンピュータ読み取り可能な記録媒体。
【発明の詳細な説明】
【技術分野】
【０００１】
本発明は、ＩＣチップを備えた携帯通信端末、およびＩＣチップを備えた携帯通信端末の無線通信システム、無線通信方法、無線通信プログラム、記録媒体に関する。
【背景技術】
【０００２】
従来、電子マネー、身分証明書等の機能を備える非接触型ＩＣチップを内蔵した携帯電話端末が普及している。ユーザがＩＣリーダ／ライタにこのような携帯電話端末を近接または密着させると、ＩＣリーダ／ライタが自身の通信領域内に行う通信要求のポーリングにより携帯電話端末を検知する。ＩＣリーダ／ライタが自身の通信領域内に非接触型ＩＣチップを検知すると、検知した非接触型ＩＣチップと定められた手順に従って無線通信を行い、電子マネーサービスや身分証明サービスの動作が制御される。ここで、このような携帯電話端末は、ユーザが携帯電話端末をカバンやポケットにいれた状態でもＩＣリーダ／ライタを近接または密着させれば情報通信が行われる場合があり、非接触型ＩＣチップに記憶された情報が不正に読み書きされる可能性があった。
このような不正アクセスに対し、特許文献１には、スイッチのオン、オフを切替えることによりＩＣチップの共振周波数を変化させ、ＩＣチップの通信可、不可を変化させることにより不正アクセスを防ぐ技術が提案されている。特許文献２には、ＩＣチップへの不正アクセスを検知する制御体を設けることで不正アクセスを防ぐ技術が提案されている。また、このような不正アクセスを検知した場合には、例えばブザー等の音声を出力することによりユーザに不正アクセスを警告する方法が提案されている。
【特許文献１】特開２００４−３４８５００号公報
【特許文献２】特開２００７−２４１３４１号公報
【発明の開示】
【発明が解決しようとする課題】
【０００３】
しかしながら、特許文献１に示された技術では、スイッチの状態によって通信可、不可を切替えるために、ユーザはＩＣチップの通信状態を変更させるためにその都度スイッチを押下する必要があり、操作性において不便であった。特許文献２に示された技術では、意図した読み取りを行う面と、行わない面とを設けるため、ユーザは通信時にＩＣリーダ／ライタに向ける面を判断しなければならず、やはり操作性において不便であった。また不正アクセスをブザー等により警告する方法では、この警告を聞き逃した場合にはＩＣチップに記憶された情報が読み書きされ、無防備になるという問題がある。
【０００４】
本発明は、このような状況に鑑みてなされたもので、ユーザの操作性を損なうことなくＩＣリーダからの通信要求が不正であるか否かを判定し、高いセキュリティを確保する携帯通信端末、無線通信システム、無線通信方法、無線通信プログラム、記録媒体を提供する。
【課題を解決するための手段】
【０００５】
上述した課題を解決するために、本発明は、通信ＩＣリーダからの通信要求に応答して情報通信を行う携帯通信端末であって、通信対象として予め定められた対象ＩＣリーダの画像が基準画像として記憶される画像記憶部と、通信ＩＣリーダからの通信要求を受信する通信要求受信部と、通信要求受信部が通信要求を受信すると、通信要求を送信した通信ＩＣリーダを撮像し、撮像画像を生成する撮像部と、基準画像と、撮像画像とが一致するか否かを判定する判定部と、判定部が、基準画像と撮像画像とが一致すると判定した場合、通信ＩＣリーダからの通信要求に応答する通信制御部と、を備えることを特徴とする。
【０００６】
また、本発明は、上述の通信要求受信部が、通信ＩＣリーダから無線送信される通信要求を受信する第１の通信要求受信部と、第１の通信要求受信部より狭い領域を通信要求の検出範囲とする第２の通信要求部とを備え、撮像部は、第１の通信要求受信部が通信要求を受信すると、通信ＩＣリーダを撮像し、通信制御部は、第２の通信要求受信が受信する通信要求に応答することを特徴とする。
【０００７】
また、本発明は、携帯通信端末と、携帯通信端末に記憶された情報を読み出す通信ＩＣリーダとを備えた無線通信システムであって、通信ＩＣリーダは、携帯通信端末に通信要求を送信する通信要求送信部を備え、携帯通信端末は、通信対象として予め定められた対象ＩＣリーダの画像が基準画像として記憶される画像記憶部と、通信ＩＣリーダからの通信要求を受信する通信要求受信部と、通信要求受信部が通信要求を受信すると、通信ＩＣリーダを撮像し、撮像画像を生成する撮像部と、基準画像と、撮像画像とが一致するか否かを判定する判定部と、判定部が、基準画像と撮像画像とが一致すると判定した場合、通信ＩＣリーダからの通信要求に応答する通信制御部と、を備える。
【０００８】
また、本発明は、通信ＩＣリーダからの通信要求に応答して情報通信を行い、通信対象として予め定められた対象ＩＣリーダの画像が基準画像として記憶される画像記憶部とを備えた携帯通信端末による無線通信方法であって、通信ＩＣリーダからの通信要求を受信すると、通信要求を送信した通信ＩＣリーダを撮像し、撮像画像を生成し、基準画像と、撮像画像とが一致するか否かを判定し、基準画像と撮像画像とが一致すると判定した場合、通信ＩＣリーダからの通信要求に応答することを特徴とする。
【０００９】
また、本発明は、通信ＩＣリーダからの通信要求に応答して情報通信を行い、通信対象として予め定められた対象ＩＣリーダの画像が基準画像として記憶される画像記憶部とを備えた携帯通信端末のコンピュータに、通信ＩＣリーダからの通信要求を受信すると、通信要求を送信した通信ＩＣリーダを撮像し、撮像画像を生成するステップと、基準画像と、撮像画像とが一致するか否かを判定するステップと、基準画像と撮像画像とが一致すると判定した場合、通信ＩＣリーダからの通信要求に応答するステップとを実行させる無線通信プログラムである。
【００１０】
また、本発明は、通信ＩＣリーダからの通信要求に応答して情報通信を行い、通信対象として予め定められた対象ＩＣリーダの画像が基準画像として記憶される画像記憶部とを備えた携帯通信端末のコンピュータに、通信ＩＣリーダからの通信要求を受信すると、通信要求を送信した通信ＩＣリーダを撮像し、撮像画像を生成するステップと、基準画像と、撮像画像とが一致するか否かを判定するステップと、基準画像と撮像画像とが一致すると判定した場合、通信ＩＣリーダからの通信要求に応答するステップとを実行させる無線通信プログラムを記録したコンピュータ読み取り可能な記録媒体である。
【発明の効果】
【００１１】
以上説明したように、本発明によれば、ＩＣリーダからの通信要求を受信すると通信要求を送信したＩＣリーダを撮像し、予め記憶された通信対象とするＩＣリーダの画像と、撮像した画像とが一致するか否かを判定し、一致すると判定された場合、ＩＣリーダからの通信要求に応答するようにしたので、受信する通信要求が予め定められた通信対象のＩＣリーダから送信されたものであるか否かに基づいて、通信要求に応答するか否かを判定することができる。
【発明を実施するための最良の形態】
【００１２】
以下、本発明の一実施形態について、図面を参照して説明する。図１は、本実施形態による無線通信システム１の構成を示すブロック図である。無線通信システム１は、携帯通信端末１００とＩＣリーダ／ライタ２００とを備えている。本実施形態による無線通信システム１は、携帯通信端末１００が備える非接触ＩＣチップ１０２への不正なアクセスを防止するために、携帯通信端末１００がＩＣリーダ／ライタ２００から送信されるポーリング信号を検出すると、ＩＣリーダ／ライタ２００の読み取り面の画像を撮像し、予め記憶された携帯通信端末１００の通信対象とするＩＣリーダ／ライタの読み取り面の画像と比較し、予め定められたＩＣリーダ／ライタ２００であると判定した場合に通信を行うものである。
【００１３】
携帯通信端末１００は、非接触ＩＣチップ１０２を備えた可搬性のあるコンピュータ端末であり、例えば、携帯電話端末、ＰＤＡ（Personal Digital Assistant）などの入力部、出力部、制御部、演算部、記憶部を備えたコンピュータ機器が適用される。携帯通信端末１００は、アンテナ１０１と、非接触ＩＣチップ１０２と、ポーリング検出部１０５と、制御部１０６と、カメラ１０７と、画像判定部１０８と、画像登録部１０９と、画像記憶部１１０とを備えている。
【００１４】
アンテナ１０１は、ＩＣリーダ／ライタ２００から送信される無線信号を受信し、またＩＣリーダ／ライタ２００に無線信号を送信する。
非接触ＩＣチップ１０２は、制御部、演算部、記憶部等を備える集積回路であり、電子マネーや身分証明書等の機能を有する。非接触ＩＣチップ１０２は、非接触ＩＣチップ無線部１０３と、非接触ＩＣチップ制御部１０４とを備えている。
【００１５】
非接触ＩＣチップ無線部１０３は、アンテナ１０１を介して、ＩＣリーダ／ライタ２００と電磁誘導による信号の送受信を行う。
非接触ＩＣチップ制御部１０４は、非接触ＩＣチップ無線部１０３が送受信する信号に基づいて非接触ＩＣチップ１０２が備える記憶部に記憶された情報の読み書きを行う。
【００１６】
ポーリング検出部１０５は、アンテナ１０１を介してＩＣリーダ／ライタ２００から送信される通信要求のポーリング信号を検出する。図２は、上述した非接触ＩＣチップ無線部１０３が通信要求に応じて動作するポーリングの検出範囲と、ポーリング検出部１０５が通信要求に応じて動作するポーリングの検出範囲との距離の差を示す図である。図２に示されるように、ポーリング検出部１０５のポーリングの検出範囲（ｂ）は、非接触ＩＣチップ無線部１０３が通信要求を検出し非接触ＩＣチップ制御部１０４の動作制御を行うポーリングの検出範囲（ａ）よりも広い範囲となっている。このように、ポーリング検出部１０５は、非接触ＩＣチップ無線部１０３よりも遠距離からのＩＣリーダ／ライタ２００のポーリング信号を検出できるようにする。
【００１７】
制御部１０６は、アンテナ１０１が送受信する信号に応じて携帯通信端末１００の各部の動作制御を行う。例えば、制御部１０６は、後述する画像判定部１０８による判定結果に応じて非接触ＩＣチップ１０２の非接触ＩＣチップ制御部１０４を動作させる。
カメラ１０７は、制御部１０６からの制御信号に応じて、ＩＣリーダ／ライタ２００の読み取り面の画像を撮影する。カメラ１０７が撮影する画像は、動画像でも良いし、静止画像でも良い。
画像判定部１０８は、カメラ１０７が撮影した画像と、画像記憶部１１０に記憶された画像とを比較し、一致の度合いが予め定められた閾値を超えているか否かを判定する。
【００１８】
画像登録部１０９は、携帯通信端末１００にユーザから入力される操作情報に応じてカメラ１０７が撮像したＩＣリーダ／ライタ２００の読み取り面の画像を取得し、画像記憶部１１０に記憶させる。
画像記憶部１１０には、携帯通信端末１００の通信対象とするＩＣリーダ／ライタ２００の読み取り面の画像が基準画像として予め記憶されている。画像記憶部１１０に記憶される基準画像は、画像登録部１０９によって記憶されるようにしても良いし、携帯通信端末１００の出荷時に予め記憶されているようにしても良い。
【００１９】
ＩＣリーダ／ライタ２００は、携帯通信端末１００が備える非接触ＩＣチップ１０２への通信要求のポーリング信号を無線送信する。ＩＣリーダ／ライタ２００は、送信したポーリング信号に応じて非接触ＩＣチップ１０２からの応答を受信すると、予め定められた手順に基づいて携帯通信端末１００が備える非接触ＩＣチップ１０２と通信し、非接触ＩＣチップ１０２に記憶された情報の読み書きを行う。
【００２０】
図３は、無線通信システム１の動作例を示すフローチャートである。
携帯通信端末１００がＩＣリーダ／ライタ２００に近接されると、携帯通信端末１００のポーリング検出部１０５が、ＩＣリーダ／ライタ２００から送信されるポーリング信号を検出する（ステップＳ１）。そして、制御部１０６はカメラ１０７を起動して動作させ、カメラ１０７がＩＣリーダ／ライタ２００の読み取り面の画像を撮像して撮像画像を生成する。画像判定部１０８は、画像記憶部１１０に記憶された基準画像を読み出してカメラ１０７が撮像した撮像画像と比較し、一致の度合いが予め定めた閾値を超えているか否かを判定する（ステップＳ２）。
【００２１】
画像判定部１０８が、画像記憶部１１０から読み出した基準画像とカメラ１０７が撮像した撮像画像とが予め定めた閾値を超えて一致すると判定すると（ステップＳ２：ＹＥＳ）、動作可とする信号を出力する。一方、画像判定部１０８が、画像記憶部１１０から読み出した基準画像とカメラ１０７が撮像した撮像画像とが予め定めた閾値を超えて一致しないと判定すると（ステップＳ２：ＮＯ）、動作不可とする信号を出力する。非接触ＩＣチップ制御部１０４は、ステップＳ２の判定に基づいて出力された動作可または動作不可を示す信号を受信し、動作可または動作不可を示す情報を自身の記憶部に記憶させる。
【００２２】
そして、携帯通信端末１００の非接触ＩＣチップ無線部１０３が、ＩＣリーダ／ライタ２００から送信される通信要求を受信すると（ステップＳ６）、非接触ＩＣチップ制御部１０４は、ステップＳ２の判定に基づいて出力された信号に基づいて記憶された情報が動作可であるか動作不可であるかを判定し、動作可であると判定した場合（ステップＳ７：ＹＥＳ）、ＩＣリーダ／ライタ２００から送信された通信要求に応答し、非接触ＩＣチップ１０２に記憶された情報の読み書きを行う（ステップＳ８）。一方、ステップＳ７で、制御部１０６が、ステップＳ２の判定に基づいて出力された信号基づいて記憶された情報が動作不可であると判定した場合（ステップＳ７：ＮＯ）、非接触ＩＣチップ無線部１０３が、ＩＣリーダ／ライタ２００から送信される通信要求に応答せず、動作しない（ステップＳ９）。
【００２３】
なお、通信要求が送信されたＩＣリーダ／ライタ２００が通信対象のＩＣリーダ／ライタ２００であるか否かを判定する際には、基準画像として用いるＩＣリーダ／ライタ２００の基準画像を自動学習する構成としても良い。例えば、画像登録部１０９が、非接触ＩＣチップ１０２との通信が行われた際に通信を行ったＩＣリーダ／ライタ２００の読み取り面を撮像し、画像記憶部１１０に記憶させておく。そして、画像判定部１０８は、複数回の非接触ＩＣチップ１０２の通信のうち、通信頻度の高い例えば２種類のＩＣリーダ／ライタ２００の読み取り面の画像を有効として基準画像とし、非接触ＩＣチップ無線部１０３が通信要求を受信した際の判定処理に利用する。
また、ユーザが意図してＩＣリーダ／ライタ２００に携帯通信端末１００を近づけているという判定を、近づきつつある画像のズームとして認識することにより判断することも可能である。
【００２４】
以上説明したように、本実施形態によれば、携帯通信端末１００は、予め記憶された通信対象のＩＣリーダ／ライタ２００の読み取り面に基づいてＩＣリーダ／ライタ２００からの通信要求に応答するか否かを判定するようにしたので、通信対象としないＩＣリーダ／ライタ２００からの通信要求や、ポケットやカバンなどに入れたままで受信する通信要求などには応答しないように動作することが可能となる。
【００２５】
さらに、本実施形態によれば、ＩＣリーダ／ライタ２００からの通信要求を検知するとカメラ１０７がＩＣリーダ／ライタ２００の読み取り面を撮像し、そのＩＣリーダ／ライタ２００が通信対象のＩＣリーダ／ライタ２００であるか否かを判定するので、ユーザがスイッチを切替えたりＩＣリーダ／ライタ２００に近接させる面などを判断したりする必要がなく、非接触ＩＣチップ１０２の機能を利用するための操作性が損なわれないという効果がある。
【００２６】
また、本実施形態によれば、ＩＣリーダ／ライタ２００から無線送信されるポーリングの検出範囲は、非接触ＩＣチップ無線部１０３の方が狭い領域とし、ポーリング検出部１０５の方が広い領域を検出範囲とするようにしたので、ポーリング検出部１０５の方が先にＩＣリーダ／ライタ２００からのポーリングを検出して判定を行っておくことで、非接触ＩＣチップ無線部１０３がポーリングを検出した時点での動作を円滑に行うとともに誤動作を防ぐことが可能となる。
【００２７】
なお、本発明における処理部の機能を実現するためのプログラムをコンピュータ読み取り可能な記録媒体に記録して、この記録媒体に記録されたプログラムをコンピュータシステムに読み込ませ、実行することにより無線通信を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２９】
【図１】本発明の一実施形態による無線通信システムを示す図である。
【図２】本発明の一実施形態による非接触ＩＣチップ無線部とポーリング検出部とのポーリングの検出範囲を示す図である。
【図３】本発明の一実施形態による無線通信システムの動作例を示す図である。
【符号の説明】
【００３０】
１  無線通信システム１
１００  携帯通信端末
１０１  アンテナ
１０２  非接触ＩＣチップ
１０３  非接触ＩＣチップ無線部
１０４  非接触ＩＣチップ制御部
１０５  ポーリング検出部
１０６  制御部
１０７  カメラ
１０８  画像判定部
１０９  画像登録部
１１０  画像記憶部
２００  ＩＣリーダ／ライタ
【図１】
2010055271.tif 000003
【図２】
2010055271.tif 000004
【図３】
2010055271.tif 000005